(57)【要約】【課題】ロックピン端部の逆方向への移動を防止し、信頼性が高いスイッチ開閉機構を実現する。【解決手段】第１誘導領域４６ｆと第２誘導領域４６ｇの連結部分には、段差が形成され、これら領域の底面は、第２誘導領域４６ｇ、第１誘導領域４６ｆの順に低い。第１誘導領域４６ｆ及び第２誘導領域４６ｇの底面は、ロックピン動作端６ｂの付勢方向に垂直な断面において、最下位端Ｔ１から最下位端Ｔ２へ向かって下方に傾斜している。【選択図】図６
2013118059.tif 000002
【特許請求の範囲】
【請求項１】
スイッチの押込操作に連動するロックピンを案内するカム溝構造であって、
上記ロックピンの一方の端部であり、かつ上記押込操作方向とは反対側に付勢する動作端を係止する係止部を取り囲むとともに、上記動作端が底面に対し押圧しつつ摺動するカム溝を有し、
上記カム溝は、上記係止部を基準として上記動作端の付勢方向と反対側に第１及び第２の終端が位置し、上記第１の終端から上記係止部へ延びる第１の通路と、上記係止部から上記第２の終端へ延びる第２の通路とで構成されたＶ字溝を有し、
上記第１及び第２の通路の連結部分には段差が形成され、上記第２の通路の底面は、第１の通路の底面よりも上記動作端の押圧方向に低く形成されており、
上記第１及び第２の通路の底面は、上記付勢方向に垂直な断面において、上記第１の終端から上記第２の終端へ向かって、少なくとも一部の領域で上記押圧方向下方に傾斜していることを特徴とするカム溝構造。
【請求項２】
上記カム溝は、
上記係止部における上記Ｖ字溝と反対側に形成された初期領域と、
上記第１の通路を含み、上記初期領域にある上記動作端を上記第１の終端にて方向を変えて上記係止部へ誘導する誘導往路と、
上記第２の通路を含み、上記係止部で係止された上記動作端を上記第２の終端にて方向を変えて上記初期領域へ誘導する誘導復路とからなり、
上記初期領域と上記誘導復路との連結部分には、段差が形成され、上記初期領域の底面は、上記誘導復路の底面よりも上記押圧方向に低く形成されており、
上記初期領域の底面は、上記付勢方向に垂直な断面において、上記誘導復路から上記誘導往路へ向かって少なくとも一部の領域で上記押圧方向下方に傾斜していることを特徴とする請求項１に記載のカム溝構造。
【請求項３】
上記誘導復路は、上記第２の終端から上記初期領域へ延びた第３の通路を有し、
上記第２の通路は、上記係止部から上記付勢方向へ延び上記第３の通路に連結する延長部を有し、該延長部は、上記係止部により遮られることを特徴とする請求項２に記載のカム溝構造。
【請求項４】
押込操作により回路の開閉動作を行うための押込部材と、
一方の端が上記押込部材に連結されたロックピンと、
請求項１〜３の何れか１項に記載のカム溝構造と、
上記押込操作に連動して上記カム溝構造を摺動する上記ロックピンの動作端を係止する係止部とを備えたことを特徴とするスイッチ。
【発明の詳細な説明】
【技術分野】
【０００１】
本発明は、カム溝構造、およびそれを備えたスイッチに関する。
【背景技術】
【０００２】
押圧操作で接点を開閉できるスイッチは、スイッチが閉状態に維持するためのロックピンを備えている。そして、従来、ロックピンの端部をスライドさせるためのカム溝構造としては、ハートカム形状のカム溝構造が用いられている。
【０００３】
ハートカム形状のカム溝構造は、例えば特許文献１に開示されている。この種のカム溝構造は、ロックピンの端部を係止する係止部と、当該係止部の外周を取り囲むカム溝とから構成されている。そして、スイッチが閉状態に維持されているとき、ロックピンの端部は係止部によって係止されている。スイッチの開閉機構は、上記カム溝をロックピン端部が一定の方向にスライドする（逆方向にスライドしない）ことで成り立っている。特許文献１に開示されたカム溝構造では、押圧ばね部材によりロックピン端部をカム溝底面に弾接し、かつカム溝底面を階段状とすることにより、ロックピン端部の逆方向への移動を防止している。
【先行技術文献】
【特許文献】
【０００４】
【特許文献１】特開平８−２２７６２７号公報（１９９６年  ９月  ３日公開）
【発明の概要】
【発明が解決しようとする課題】
【０００５】
しかしながら、特許文献１に開示されたカム溝構造では、スイッチの押圧操作の繰り返しによって、カム溝底面における階段状部分が摩耗したり、ロックピンへの押圧力が低下したりする。それゆえ、ロックピンの端部が意図しない方向にスライドし、スイッチの開閉機構に支障をきたすことがある。
【０００６】
本発明は、上記の問題点に鑑みてなされたものであり、その目的は、ロックピン端部の逆方向への移動を防止し、かつ信頼性が高いスイッチ開閉機構を実現できるカム溝構造、およびそれを備えたスイッチを提供することにある。
【課題を解決するための手段】
【０００７】
本発明のカム溝構造は、上記の課題を解決するために、スイッチの押込操作に連動するロックピンを案内するカム溝構造であって、上記ロックピンの一方の端部であり、かつ上記押込操作方向とは反対側に付勢する上記動作端を係止する係止部を取り囲むとともに、上記動作端が底面に対し押圧しつつ摺動するカム溝を有し、上記カム溝は、上記係止部を基準として動作端の付勢方向と反対側に第１及び第２の終端が位置し、上記第１の終端から上記係止部へ延びる第１の通路と、上記係止部から上記第２の終端へ延びる第２の通路とで構成されたＶ字溝を有し、上記第１及び第２の通路の連結部分には段差が形成され、上記第２の通路の底面は、第１の通路の底面よりも上記動作端の押圧方向に低く形成されており、上記第１及び第２の通路の底面は、上記付勢方向に垂直な断面において、上記第１の終端から上記第２の終端へ向かって、少なくとも一部の領域で上記押圧方向下方に傾斜していることを特徴としている。
【０００８】
上記の構成によれば、上記第１及び第２の通路の連結部分には段差が形成され、上記第２の通路の底面は、第１の通路の底面よりも上記動作端の押圧方向に低く形成されていることで、カム溝において動作端が逆方向へ摺動することを防止している。それゆえ、上記の構成によれば、上記動作端は、第１の通路、係止部（ロック位置）、第２の通路の順に一方向に摺動することになる。上記動作端は、段差との当接により逆方向への移動が防止されているので、スイッチ回路の開閉動作の回数が増加するに従い、段差の摩耗が促進するおそれがある。
【０００９】
そこで、上記の構成によれば、上記第１及び第２の通路の底面は、上記付勢方向に垂直な断面において、上記第１の終端から上記第２の終端へ向かって、少なくとも一部の領域で上記押圧方向下方に傾斜しているので、スイッチ回路の開閉動作の繰り返しによって段差部が摩耗しても、上記底面の傾斜により、ロック解除不良やロック不良の原因となる動作端の逆方向への移動を防止することができる。その結果、ロックピン端部の逆方向への移動を防止し、かつ信頼性が高いスイッチ開閉機構を実現できるカム溝構造を提供することができる。
【００１０】
なお、上述した押圧方向下方に傾斜した傾斜面は、ロックピン端部の逆方向への移動を防止できれば、上記第１及び第２の通路の底面のうち少なくとも一方の底面に形成されていればよい。また、上記第１及び第２の通路の底面に、傾斜されていない領域が形成されていてもよい。
【００１１】
本発明のカム溝構造では、上記カム溝は、上記係止部における上記Ｖ字溝と反対側に形成された初期領域と、上記第１の通路を含み、上記初期領域にある上記動作端を上記第１の終端にて方向を変えて上記係止部へ誘導する誘導往路と、上記第２の通路を含み、上記係止部で係止された上記動作端を上記第２の終端にて方向を変えて上記初期領域へ誘導する誘導復路とからなり、上記初期領域と上記誘導復路との連結部分には、段差が形成され、上記初期領域の底面は、上記誘導復路の底面よりも上記押圧方向に低く形成されており、上記初期領域の底面は、上記付勢方向に垂直な断面において、上記誘導復路から上記誘導往路へ向かって少なくとも一部の領域で上記押圧方向下方に傾斜していることが好ましい。
【００１２】
上記の構成によれば、上記初期領域の底面は、上記付勢方向に垂直な断面において、上記誘導復路から上記誘導往路へ向かって上記押圧方向下方に傾斜しているので、上記動作端の誘導復路から初期領域を介した誘導往路への復帰がスムーズになる。その結果、信頼性がさらに高いスイッチ開閉機構を実現できるカム溝構造を提供することができる。
【００１３】
なお、上述した押圧方向下方に傾斜した傾斜面は、ロックピン端部の逆方向への移動を防止できれば、上記初期領域の少なくとも一部の底面に形成されていればよい。また、上記係止部を取り囲む通路である、上記初期領域、上記誘導往路、及び上記誘導復路の一部の底面に、傾斜されていない領域が形成されていてもよい。
【００１４】
本発明のカム溝構造では、上記誘導復路は、上記第２の終端から上記初期領域へ延びた第３の通路を有し、上記第２の通路は、上記係止部から上記付勢方向へ延び上記第３の通路に連結する延長部を有し、該延長部は、上記係止部により遮られることが好ましい。
【００１５】
上記の構成によれば、記第２の通路は、上記係止部から上記付勢方向へ延び上記第３の通路に連結する延長部を有し、該延長部は、上記係止部により遮られるので、上記係止部を上記付勢方向へ移動可能とすることで第２の通路をロック解除通路に利用することができる。このため、上記の構成によれば、ロックピン端部の逆方向への移動を防止し、かつ信頼性が高いスイッチ開閉機構とともに、ロックピンと該ロックピンを係止する部材との間の摩耗を低減することができるリセット機構（ロック解除機構）を実現できるカム溝構造を提供することができる。
【００１６】
本発明のスイッチは、上記の課題を解決するために、押込操作により回路の開閉動作を行うための押込部材と、一方の端が上記押込部材に連結されたロックピンと、上述のカム溝構造と、上記押込操作に連動して上記カム溝構造を摺動する上記ロックピンの動作端を係止する係止部とを備えたことを特徴としている。
【００１７】
これにより、ロックピン端部の逆方向への移動を防止し、かつ信頼性が高いスイッチ開閉機構を実現できるスイッチを提供することができる。
【発明の効果】
【００１８】
本発明のカム溝構造は、以上のように、付勢する上記動作端を係止する係止部を取り囲むとともに、上記動作端が底面に対し押圧しつつ摺動するカム溝を有し、上記カム溝は、上記係止部を基準として動作端の付勢方向と反対側に第１及び第２の終端が位置し、上記第１の終端から上記係止部へ延びる第１の通路と、上記係止部から上記第２の終端へ延びる第２の通路とで構成されたＶ字溝を有し、上記第１及び第２の通路の連結部分には段差が形成され、上記第２の通路の底面は、第１の通路の底面よりも上記動作端の押圧方向に低く形成されており、上記第１及び第２の通路の底面は、上記付勢方向に垂直な断面において、上記第１の終端から上記第２の終端へ向かって、少なくとも一部の領域で上記押圧方向下方に傾斜している構成である。
【００１９】
また、本発明のスイッチは、以上のように、押込操作により回路の開閉動作を行うための押込部材と、一方の端が上記押込部材に連結されたロックピンと、上記カム溝構造と、上記押込操作に連動して上記カム溝構造を摺動する上記ロックピンの動作端を係止する係止部とを備えた構成である。
【００２０】
それゆえ、ロックピン端部の逆方向への移動を防止し、かつ信頼性が高いスイッチ開閉機構を実現できる。
【図面の簡単な説明】
【００２１】
【図１】（ａ）及び（ｂ）は、本発明の実施形態のスイッチ（リセット機能付スイッチ）の外観を示す斜視図である。
【図２】図１に示されたスイッチの分解斜視図である。
【図３】図１に示されたスイッチの初期状態での内部構造を示す斜視図である。
【図４】図１に示されたスイッチにおけるハートカム部近傍を拡大した斜視図である。
【図５】（ａ）及び（ｂ）は、図４に示されたハートカム部の外周溝の構成を示す上面図である。
【図６】ハートカム部に形成された外周溝の詳細な構成を示す平面図及び断面図である。
【図７】スイッチ回路の閉動作、及びオン状態を維持するロック動作中の、ハートカム部におけるロックピン動作端の動きを示す表である。
【図８】スイッチ回路の開動作中の、ハートカム部におけるロックピン動作端の動きを示す表である。
【図９】図７及び図８に示されるスイッチ回路の開閉動作における、外周溝４６ｃの効果を説明するための平面図及び断面図である。
【図１０】スイッチ１のロック解除動作中の、ハートカム部におけるロックピン動作端の動きを示す表である。
【発明を実施するための形態】
【００２２】
以下、本発明の実施の形態について、図面を参照して詳細に説明する。
【００２３】
（１）スイッチの構成
まず、本実施形態のスイッチの構成について説明する。図１（ａ）及び（ｂ）は、本実施形態のスイッチ（リセット機能付スイッチ）１の外観を示す斜視図である。図２は、スイッチ１の分解斜視図である。
【００２４】
スイッチ１は、いわゆるプッシュタイプのスイッチであり、ハウジング２と、ハウジング２に収容されたプランジャ部３、ソレノイド部４、及び端子スイッチング部５とを備えている。
【００２５】
プランジャ部３は、プランジャ本体（押込部材）３１と、接点バネ３２・３３とを備えている。プランジャ本体３１は、押込操作を行うための操作部３１ａを有する。また、ハウジング２には、操作部３１ａを挿入するための挿入口２ａが設けられている。また、プランジャ本体３１は、接点バネ３２・３３を取り付けるための接点バネ取付部３１ｂを有している。
【００２６】
スイッチ１においては、操作部３１ａを介して押込操作することにより、スイッチ回路の開閉を制御するようになっている。初期状態（オフ状態）において操作部３１ａの押込操作を行うと、操作部３１ａがハウジング２内部に収まりながら、スイッチ１は、スイッチ回路が閉じてオン状態になる。そして、操作部３１ａが最も押し込まれた位置を経由した後でハウジング２から突出しロック状態になる。このロック状態では、スイッチ回路がオン状態を維持しながらスイッチ１がロックされている。そして、ロック状態から再度突出した操作部３１ａを押し込むと、スイッチ１は、スイッチ回路が開いて初期状態に戻る。本実施形態のスイッチ１は、特定の外部信号を入力したときにロック状態を解除するロック解除機構（リセット機能）を備えている。スイッチ１におけるスイッチ回路の開閉制御機構およびロック解除機構については、後述する。
【００２７】
ソレノイド部４は、ソレノイドケース４１と、スライダ部材（摺動部材；係止部）４２と、復帰バネ４３と、ソレノイド部材４４と、ソレノイドカバー４５とを備えている。ソレノイド部材４４は、ソレノイドケース４１およびソレノイドカバー４５により形成された空間内に収容される。
【００２８】
そして、ソレノイド部材４４には、スライダ部材４２及び復帰バネ４３が取り付けられる。スライダ部材４２は、スライダ係合部４２ｃにてソレノイド部材４４と係合している。ソレノイド部材４４は、鉄芯４４ａとソレノイド本体４４ｂとを備えており、鉄芯４４ａがソレノイド本体４４ｂに挿入されている。また、鉄芯４４ａには凹部４４ｃが設けられている。この凹部４４ｃにスライダ係合部４２ｃが挿入される。なお図示していないがソレノイド本体４４ｂは磁性材からなるヨークと永久磁石とコイルを備えている。
【００２９】
ソレノイド部材４４にロック解除信号（外部信号）が入力されていない場合、鉄芯４４ａとソレノイド本体４４ｂとの間を互いに吸引する吸引力が働いている。そして、この吸引力により、凹部４４ｃに挿入されたスライダ係合部４２ｃが固定される。その結果、スライダ部材４２は、ソレノイド部材４４に固定される（このときの状態を吸着状態とする）。
【００３０】
ソレノイド部材４４にロック解除信号（外部信号）が入力された場合、鉄芯４４ａとソレノイド本体４４ｂとの間の吸引力が打ち消された状態になる。そして、鉄芯４４ａは、ソレノイド本体４４ｂから離脱する。このとき、スライダ部材４２は、ソレノイド部材４４に固定されていない状態になる（このときの状態を離脱状態とする）。
【００３１】
なお、鉄芯４４ａとソレノイド本体４４ｂとの間を互いに吸引する吸引力の方向は、押込操作方向と同じである。ここで、操作部３１ａを介して押込操作する方向をｚ方向とし、スライダ部材４２とソレノイド部材４４との対向方向をｘ方向とする。操作部３１ａを介して押込操作する方向及びスライダ部材４２とソレノイド部材４４との対向方向の両方に垂直な方向をｙ方向とする。
【００３２】
また、端子スイッチング部５は、ベース５１と、可動片５２・５３と、接点端子５４・５５と、共通端子５６・５７とを備えている。接点端子５４および共通端子５６は、ベース５１におけるｘ方向の一方の側部に隣接して搭載されている。接点端子５５および共通端子５７は、ベース５１におけるｘ方向の他方の側部に隣接して搭載されている。そして、接点端子５４と共通端子５７とが互いに対向し、接点端子５５と共通端子５６とが互いに対向している。また、可動片５２・５３はそれぞれ、屈曲した板状体であり、一方の端に接点５２Ａ・５３Ａが取り付けられている。また、接点端子５４・５５にはそれぞれ、接点５４Ａ・５５Ａが取り付けられている。スイッチ１においては、接点５２Ａ及び接点５４Ａ同士、並びに接点５３Ａ及び接点５５Ａ同士が離接することで、オフ状態およびオン状態の切り替えがなされる。
【００３３】
また、プランジャ部３とソレノイド部４との間には、ロックピン６が取り付けられる。ロックピン６は、丸棒の両端を互いに逆方向に直角に屈曲した形状になっている。ここで、屈曲した両端のうち一方の端をロックピン支点端６ａとし、他方の端をロックピン動作端（動作端）６ｂとする。
【００３４】
図３は、初期状態のスイッチ１の内部構造を示す斜視図である。図３において、図面の煩雑さを避けるため、可動片５３およびこれに関連する接点バネ３３の構成を省略している。また、可動片５３およびこれに関連する接点バネ３３の構成については、図示されている可動片５２およびこれに関連する接点バネ３２の構成と同一であるので、説明を省略する。
【００３５】
ここで、可動片５２の共通端子５６との接触部５２Ｃを支点とし、接点５２Ａと反対側の端を力端５２Ｂとする。図３に示されるように、可動片５２は、接触部５２Ｃで共通端子５６と接触している。そして、可動片５２は、接点５２Ａが、接点端子５４に取り付けられた接点５４Ａのｚ方向上側に位置するように配置されている。可動片５２の接点５２Ａのｚ方向上側には、プランジャ本体３１が配置されている。
【００３６】
初期状態においては、プランジャ本体３１と可動片５２の接点５２Ａとは、接点バネ３２によって互いに離間している。接点バネ３２は、ｙ方向に延びる螺旋状の金属線からなっており、この金属線の両端３２ａ・３２ｂは、互いに異なる方向に延びる直線形状になっている（図２参照）。接点バネ３２の両端３２ａ・３２ｂのうち、一方の端３２ａはプランジャ本体３１のｚ方向下側の面に係合しており、他方の端３２ｂは可動片５２の力端５２Ｂに係合している。
【００３７】
ソレノイドケース４１は、プランジャ本体３１とｘ方向で対向するように配置されている。そして、ソレノイドケース４１におけるプランジャ本体３１と対向する側の面には、ハートカム部４６が形成されている。
【００３８】
また、ロックピン６のロックピン支点端６ａは、プランジャ本体３１に形成された穴に挿入されている（不図示）。一方、ロックピン動作端６ｂは、ソレノイドケース４１に形成されたハートカム部（カム部）４６の外周溝に当接している。ロックピン６は、ロックピン支点端６ａを中心にしてロックピン動作端６ｂがスライド可能になっている。このため、ロックピン動作端６ｂは、プランジャ本体３１の操作部３１ａを介した押込操作に連動して、ハートカム部４６の外周溝をスライドするようになる。
【００３９】
図４は、スイッチ１におけるハートカム部４６近傍を拡大した斜視図である。また、図５（ａ）及び（ｂ）は、ハートカム部４６の外周溝の構成を示す上面図である。
【００４０】
図４並びに図５（ａ）及び（ｂ）に示されるように、スライダ部材４２におけるソレノイド部材４４と反対側には、ソレノイドケース４１側に突起したロックピン係止突起４２ａ（係止部）が形成されている。そして、ソレノイドケース４１におけるスライダ部材４２と対向する側壁部（すなわちハートカム部４６）には、ロックピン係止突起４２ａが挿入される挿入口４６ｂが形成されている。挿入口４６ｂのｚ方向の寸法は、ロックピン係止突起４２ａのｚ方向の寸法よりも大きくなっている。このため、スライダ部材４２が離脱状態となり、かつロックピン６によってロックピン係止突起４２ａに対しｚ方向上側の力がかかったとき、ロックピン係止突起４２ａを有するスライダ部材４２はｚ方向上側へ移動する。ｚ方向上側へ移動したスライダ部材４２は、復帰バネ４３により、スライダ部材４２に対しｚ方向下側の復帰力がかかっている。その結果、スライダ部材４２は、ｚ方向上側へ移動した後、ロックピン６がハートカム部４６に設けられているロックピン係止突起４２ａ（スライダ部材４２）から外れると共に、復帰力によりｚ方向下側へ移動し元の位置に戻ることになる。
【００４１】
また、図５（ａ）及び（ｂ）に示されるように、ハートカム部４６においては、ロックピン係止突起４２ａを取り囲むように、外周溝（カム溝）４６ｃが設けられている。この外周溝４６ｃは、プランジャ本体３１の押込操作に連動してスライドするロックピン動作端６ｂの案内溝となっている。ロックピン動作端６ｂは、外周溝４６ｃの底面を押圧しつつ外周溝４６ｃをスライドする。ロックピン動作端６ｂの押圧方向は、ｘ方向に対応する。外周溝４６ｃにおけるロックピン動作端６ｂの通路は、スイッチオン通路Ｉ、ロック通路ＩＩ、スイッチオフ通路ＩＩＩ、及びロック解除通路（ロック解除用カム溝）ＩＶとからなる。スイッチオフ通路ＩＩＩは、一部ロック解除通路ＩＶと共通する通路がある。図５（ａ）に示されるように、ロック解除通路ＩＶは、ロック状態、オフ状態、及びオン状態においては、ロックピン係止突起４２ａによって遮られている。一方、図５（ｂ）に示されるように、ロック解除状態においては、上述のようにロックピン係止突起４２ａがｚ方向上側へ移動することにより、開通する。また、ロック状態において、ロックピン動作端６ｂは、ｚ軸方向上側の力が働いており、ロックピン係止突起４２ａによって係止された状態になっている。ロック状態におけるロックピン係止突起４２ａの位置をロック位置Ｌとする。ハートカム部４６に形成された外周溝４６ｃの構造については、後述する。
【００４２】
（２）スイッチ１におけるスイッチ回路の開閉機構
次に、スイッチ１におけるスイッチ回路の開閉機構について、説明する。まず、図３を参照して、スイッチ回路の開閉動作中の、プランジャ本体３１及び可動片５２の動きについて説明する。
【００４３】
上述したように、初期状態（操作前）においては、プランジャ本体３１は、接点バネ３２の一方の端３２ａに係合しており、接点バネ３２の弾性力によって、ｚ方向上方へ付勢されている。一方、接点バネ３２の他方の端３２ｂは、可動片５２の力端５２Ｂを押し下げている。
【００４４】
そして、プランジャ本体３１の操作部３１ａをｚ方向下方へ押し下げると、接点バネ３２が撓むとともに、その端３２ｂが可動片５２の力端５２Ｂ上部をスライドしつつ、可動片５２を引き起こす方向（接点５２Ａがｚ方向上方へ変位する方向）に付勢する。そして、プランジャ本体３１が可動片５２の一端を押し下げる。さらに、プランジャ本体３１の操作部３１ａを押し込むことにより、接点バネ３２の端３２ｂが所定の位置を超えると、接点バネ３２の端３２ｂが可動片５２を押し倒す方向（接点５２Ａがｚ方向下方へ変位する方向）に付勢する。このため、可動片５２は、共通端子５６との接触部分を支点として瞬間的に回動し、可動片５２の接点５２Ａが接点端子５４の接点５４Ａに接触する（オン状態）。
【００４５】
次いで、プランジャ本体３１の操作部３１ａを最下位（ＴＴＰ１）まで押し込んだ後、プランジャ本体３１の押圧を解除すると、接点バネ３２の弾性力によりプランジャ本体３１がｚ方向上方へ押し上げられる。その一方で、ロックピン動作端６ｂは、ロック位置Ｌ（ロックピン係止突起４２ａ）で係止し（図７参照）、プランジャ本体３０のｚ方向上方への復帰を規制し、ロック状態になる。このため、接点バネ３２の端３２ｂが可動片５２を押し倒すように付勢続け、可動片５２の接点５２Ａが接点端子５４の接点５４Ａに接触し続ける。
【００４６】
次にロック状態からオフ状態にする場合、プランジャ本体３１の操作部３１ａを一段深くｚ方向へ押し下げることにより、ロックピン動作端６ｂがロックピン係止突起４２ａから離れる。次いで、操作部３１ａへの押圧を解除すると、接点バネ３２が可動片５２を押し倒す方向に付勢しつつ、プランジャ本体３１をｚ方向上方へ押し上げる。その結果、プランジャ本体３１が元の位置に復帰する。プランジャ本体３１が元の位置に復帰すると、接点バネ３２の端３２ｂが所定の位置から可動片５２を引き起こす方向に付勢し、可動片５２が共通端子５６との接触部分を支点として瞬間的に回動し、可動片５２の接点５２Ａが接点端子５４の接点５４Ａに乖離する（オフ状態）。
【００４７】
ロックピン６は、ロックピン支点端６ａでプランジャ本体３１に連結されているので、スイッチ回路の開閉動作中、プランジャ本体３１と連動する。ロックピン動作端６ｂは、プランジャ本体３１の押込操作に連動して、ハートカム部４６に形成された外周溝４６ｃをスライドする。
【００４８】
（３）ハートカム部４６に形成された外周溝４６ｃの構造（カム溝構造）
次に、スイッチ１の特徴的構成である、ハートカム部４６に形成された外周溝４６ｃの構造について、図６を参照して説明する。図６は、ハートカム部４６に形成された外周溝４６ｃの詳細な構成を示す平面図及び断面図である。
【００４９】
図６に示されるように、外周溝４６ｃは、最下位端（第１の終端）Ｔ１及び最下位端（第２の終端）Ｔ２を有する。そして、ロック位置Ｌ（ロックピン係止突起４２ａ）は、最下位端Ｔ１及び最下位端Ｔ２のｚ方向上側であり、かつ、ｙ方向において最下位端Ｔ１及び最下位端Ｔ２の間に位置している。最下位端Ｔ１は、操作部３１ａを最下位（ＴＴＰ１）まで押し込んだときにロックピン動作端６ｂが位置する端部である。最下位端Ｔ２は、ロック状態から操作部３１ａを一段深くｚ方向へ最下位（ＴＴＰ２）まで押し下げたときにロックピン動作端６ｂが位置する端部である。最下位端Ｔ１及び最下位端Ｔ２は、外周溝４６ｃにおけるｚ軸方向下側の端部であるといえる。
【００５０】
そして、外周溝４６ｃは、最下位端Ｔ１及び最下位端Ｔ２を頂部とするハート形状のカム溝であり、当該ハート形状の窪んだ部分にロック位置Ｌが位置している。具体的には、外周溝４６ｃは、第１傾斜領域４６ｄ、第２傾斜領域４６ｅ、第１誘導領域（第１の通路）４６ｆ、第２誘導領域（第２の通路）４６ｇ、第３傾斜領域（第３の通路）４６ｈ、第４傾斜領域（第３の通路）４６ｉ、及び初期領域４６ｊからなっている。第１誘導領域４６ｆは、最下位端Ｔ１に位置するロックピン動作端６ｂをロック位置Ｌへ誘導する領域である。また、第２誘導領域４６ｇは、ロック位置Ｌで係止されているロックピン動作端６ｂを最下位端Ｔ２へ誘導する領域である。また、初期領域４６ｊは、ロックピン動作端６ｂを元の位置（初期状態）へ復帰させるための領域である。
【００５１】
図５（ａ）及び（ｂ）に示されたスイッチオン通路Ｉは、第１傾斜領域４６ｄ、第２傾斜領域４６ｅ、及び第１誘導領域４６ｆを通過する通路である。また、ロック通路ＩＩは、第１誘導領域４６ｆ、及び第２誘導領域４６ｇを通過する通路である。第２誘導領域４６ｇは、図６に示されるように、ロック位置Ｌからロックピン動作端６ｂの付勢方向へ延び第３傾斜領域４６ｈに連結している延長部４６ｇ’を有する。この延長部４６ｇ’は、スイッチ回路の開閉動作中、ロックピン係止突起４２ａによって遮られている。図５（ａ）及び（ｂ）に示されたスイッチオフ通路ＩＩＩは、延長部４６ｇ’を除く第２誘導領域４６ｇ、第３傾斜領域４６ｈ、及び第４傾斜領域４６ｉを通過する通路である。また、ロック解除通路ＩＶは、延長部４６ｇ’を含む第２誘導領域４６ｇ、第３傾斜領域４６ｈ、及び第４傾斜領域４６ｉを通過する通路である。
【００５２】
図６のＢ−Ｂ断面図（ｙ方向に垂直な断面図）に示されるように、第１傾斜領域４６ｄの底面は、最下位端Ｔ１へ向かうに従い（ｘ方向）上方に傾斜している。そして、第２傾斜領域４６ｅは、第１傾斜領域４６ｄに連結しており、その連結部分でさらに（ｘ方向）上方に傾斜した底面を有する。また、第１誘導領域４６ｆは、最下位端Ｔ１を有し、第２傾斜領域４６ｅに連結している。第２傾斜領域４６ｅと第１誘導領域４６ｆとの連結部分は、段差部になっており、第１誘導領域４６ｆの底面がｘ方向に一段低くなっている。
【００５３】
第１誘導領域４６ｆの底面は、Ｂ−Ｂ断面図において平坦になっている。一方、Ｃ−Ｃ断面図（ｚ方向に垂直な断面）において、第１誘導領域４６ｆの底面は、最下位端Ｔ１から最下位端Ｔ２へ向かって、ｘ方向下方に傾斜している。また、第２誘導領域４６ｇは、略ロック位置Ｌで第１誘導領域４６ｆと連結している。第１誘導領域４６ｆと第２誘導領域４６ｇとの連結部分は、段差になっており、第２誘導領域４６ｇの底面がｘ方向に一段低くなっている。また、第１誘導領域４６ｆと同様に、第２誘導領域４６ｇの底面は、Ｃ−Ｃ断面図において、最下位端Ｔ１から最下位端Ｔ２へ向かってｘ方向下方に傾斜している。また、第３傾斜領域４６ｈは、第２誘導領域４６ｇと連結している。第２誘導領域４６ｇと第３傾斜領域４６ｈとの連結部分は、段差になっており、第３傾斜領域４６ｈの底面がｘ方向に一段低くなっている。第１誘導領域４６ｆ及び第２誘導領域４６ｇと同様に、第３傾斜領域４６ｈの底面は、Ｃ−Ｃ断面図において、最下位端Ｔ１から最下位端Ｔ２へ向かって、ｘ方向下方に傾斜している。
【００５４】
図５のＤ−Ｄ断面図（ｙ方向に垂直な断面図）において、第３傾斜領域４６ｈの底面は、平坦になっている。そして、第４傾斜領域４６ｉは、第３傾斜領域４６ｈに連結し、その底面は、最下位端Ｔ２と反対側へ向かうに従いｘ方向上方に傾斜している。初期領域４６ｊは、第４傾斜領域４６ｉに連結している。第４傾斜領域４６ｉと初期領域４６ｊとの連結部分は、段差部になっており、初期領域４６ｊの底面がｘ方向に一段低くなっている。
【００５５】
また、初期領域４６ｊの底面は、Ｄ−Ｄ断面図において、最下位端Ｔ２と反対側へ向かうに従いｘ方向下方に傾斜している。一方、Ａ−Ａ断面図（ｚ方向に垂直な断面）において、初期領域４６ｊの底面は、第４傾斜領域４６ｉから第１傾斜領域４６ｄへ向かってｘ方向下方に傾斜している。
【００５６】
また、図６のＧ−Ｇ断面図（ｙ方向に垂直な断面図）に示されるように、第２誘導領域４６ｇの延長部４６ｇ’は、第３傾斜領域４６ｈと連結している。延長部４６ｇ’と第３傾斜領域４６ｈとの連結部分は、段差になっており、第３傾斜領域４６ｈの底面がｘ方向に一段低くなっている。また、延長部４６ｇ’の底面は、最下位端Ｔ１から最下位端Ｔ２へ向かって、ｘ方向下方に傾斜している。延長部４６ｇ’と同様に、第３傾斜領域４６ｈの底面は、Ｇ−Ｇ断面図において、最下位端Ｔ１から最下位端Ｔ２へ向かってｘ方向下方に傾斜している。
【００５７】
このように、外周溝４６ｃは、ロック位置Ｌ（ロックピン係止突起４２ａ）を基準として、ロックピン動作端６ｂの付勢方向（ｚ方向上方）と反対側に２つの最下位端Ｔ１・Ｔ２が位置している。そして、最下位端Ｔ１からロック位置Ｌへ延びる第１誘導領域４６ｆと、ロック位置Ｌから最下位端Ｔ２へ延びる第２誘導領域４６ｇとで構成されたＶ字溝を有している。
【００５８】
そして、第１誘導領域４６ｆ、第２誘導領域４６ｇ、及び第３傾斜領域４６ｈにおける互いの連結部分には、段差が形成されている。これら領域の底面は、第３傾斜領域４６ｈ、第２誘導領域４６ｇ、及び第１誘導領域４６ｆの順に低くなっている。また、第１誘導領域４６ｆ、第２誘導領域４６ｇ、及び第３傾斜領域４６ｈの底面は、ロックピン動作端６ｂの付勢方向に垂直な断面において、最下位端Ｔ１から最下位端Ｔ２へ向かって下方に傾斜している（図６のＣ−Ｃ断面図参照）。
【００５９】
また、外周溝４６ｃは、初期領域４６ｊと、誘導往路と、誘導復路とで構成されている。誘導往路は、初期領域４６ｊにあるロックピン動作端６ｂを最下位端Ｔ１にて方向を変えてロック位置Ｌへ誘導する通路であり、第１傾斜領域４６ｄ、第２傾斜領域４６ｅ、及び第１誘導領域４６ｆを有する。誘導復路は、ロック位置Ｌにて係止されたロックピン動作端６ｂを最下位端Ｔ２にて方向を変えて初期領域４６ｊへ誘導する通路であり、第２誘導領域４６ｇ、第３傾斜領域４６ｈ、及び第４傾斜領域４６ｉを有する。
【００６０】
初期領域４６ｊと第４傾斜領域４６ｉ（誘導復路の一部）との連結部分には、段差が形成されており、初期領域４６ｊの底面は、第４傾斜領域４６ｉの底面よりもｘ方向に低くなっている。そして、初期領域４６ｊの底面は、ロックピン動作端６ｂの付勢方向に垂直な断面において、誘導復路から誘導往路（より具体的には誘導復路の一部である第４傾斜領域４６ｉから誘導往路の一部である第１傾斜領域４６ｄ）へ向かってｘ方向下方に傾斜している（図６のＡ−Ａ断面図参照）。
【００６１】
次に、図７〜図９を参照して、スイッチ１におけるスイッチ回路の開閉動作に連動するロックピン動作端６ｂの動きについて、詳述する。図７は、スイッチ回路の閉動作（オフ状態からオン状態への動作）、及びオン状態をロックするロック動作（オン状態からロック状態への動作）中の、ハートカム部４６におけるロックピン動作端６ｂの動きを示す表である。また、図８は、スイッチ回路の開動作（ロック状態からオフ状態への動作）中の、ハートカム部４６におけるロックピン動作端６ｂの動きを示す表である。図７及び図８に示される表では、ロックピン動作端６ｂの動きに合わせて、プランジャ本体３１の操作部３１ａの動き、及びソレノイド部材４４とスライダ部材との状態も示している。図９は、図７及び図８に示されるスイッチ回路の開閉動作における、外周溝４６ｃの効果を説明するための平面図及び断面図である。
【００６２】
まず、スイッチ回路の閉動作及びロック動作に連動するロックピン動作端６ｂの動きについて説明する。図７に示されるように、操作部３１ａの押込動作によりプランジャ本体３１の操作部３１ａを最下位（ＴＴＰ１）まで押し込む。このとき、スイッチ１がオフ状態からオン状態になる（「スイッチ回路開」から「スイッチ回路閉」）。この間、ロックピン動作端６ｂは、図９に示されるように、外周溝４６ｃの底面に対し押圧しつつ、第１傾斜領域４６ｄにある位置ａ及びｂ、並びに第２傾斜領域４６ｅにある位置ｃを通過する過程でオン状態になる。そして、操作部３１ａの最下位（ＴＴＰ１）に対応する最下位端Ｔ１に到達する。ここで、第２傾斜領域４６ｅと第１誘導領域４６ｆとの連結部分に段差部が形成され、第１誘導領域４６ｆの底面は、第２傾斜領域４６ｅの底面よりもｘ方向に低くなっている（図９のＢ−Ｂ断面図参照）。これにより、ロックピン動作端６ｂは、一旦最下位端Ｔ１に到達しオン状態になると、第２傾斜領域４６ｅ側へ戻ることがなくなる。
【００６３】
次に、プランジャ本体３１の操作部３１ａを最下位（ＴＴＰ１）まで押し込んだ後、プランジャ本体３１の押圧を解除すると、接点バネ３２の弾性力により、ロックピン動作端６ｂは、接点バネ３２の弾性力によりｚ方向上側へ付勢される。そして、ロックピン動作端６ｂは、最下位端Ｔ１から、第１誘導領域４６ｆにある位置ｄ、及び第２誘導領域４６ｇにある位置ｅを通過する。そして、ロックピン動作端６ｂのｚ方向上側への移動は、ロック位置Ｌにてロックピン係止突起４２ａによって係止される。このとき、操作部３１ａは、ハウジング２から突出した状態になっている。ここで、第１誘導領域４６ｆと第２誘導領域４６ｇとの連結部分に段差部が形成され、第２誘導領域４６ｇの底面は、第１誘導領域４６ｆの底面よりもｘ方向に低くなっている（図９のＣ−Ｃ断面図参照）。これにより、ロックピン動作端６ｂは、一旦ロック位置Ｌで係止されると、第１誘導領域４６ｆ側へ戻ることがなくなる。その結果、安定なロック状態を維持できるスイッチを実現することができる。
【００６４】
なお、ソレノイド部材４４は、スイッチ回路の閉動作、及びオン状態をロックするロック動作中、吸着状態を維持している。それゆえ、スライダ部材４２のロックピン係止突起４２ａは、ロック位置Ｌに固定されている。そして、上述した鉄芯４４ａとソレノイド本体４４ｂとの間の吸引力により、ｚ方向上側へ付勢されているロックピン動作端６ｂは、ロックピン係止突起４２ａ（ロック位置Ｌ）で係止される。
【００６５】
次に、スイッチ回路の開動作に連動するロックピン動作端６ｂの動きについて説明する。図８に示されるように、ロック状態から操作部３１ａをｚ方向へ一段深く最下位（ＴＴＰ２）まで押し込む。この間、ロックピン動作端６ｂは、図９に示されるように、外周溝４６ｃの底面に対し押圧しつつ、第２誘導領域４６ｇにある位置ｅ、並びに第３傾斜領域４６ｈにある位置ｆ及びｇを通過し、一旦ｚ方向下側へ移動する。そして、操作部３１ａが最も押し込まれた位置ＴＴＰ２にあるとき、ロックピン動作端６ｂは最下位端Ｔ２（位置ｇ）にある。ロックピン動作端６ｂが位置ｅ、ｆ、ｇを通過している間、スイッチ回路はオン状態である（図８の「ＴＴＰ２（スイッチ回路閉）」）。そして、操作部３１ａへの押圧を解除すると、ロックピン動作端６ｂは、最下位端Ｔ２（位置ｇ）から、接点バネ３２の弾性力によりｚ方向上側へ付勢されて、第３傾斜領域４６ｈにある位置ｈ、第４傾斜領域４６ｉにある位置ｊ、及び初期領域４６ｊにある位置ｋを通過する。ロックピン動作端６ｂが位置ｈ、ｊ、ｋを通過する過程で、スイッチ回路がオフ状態となる。そして、ロックピン動作端６ｂが位置ａに復帰する（図８の「ＦＰ（スイッチ回路開）」）。
【００６６】
ここで、第２誘導領域４６ｇと第３傾斜領域４６ｈとの連結部分に段差部が形成され、第３傾斜領域４６ｈの底面は、第２誘導領域４６ｇの底面よりもｘ方向に低くなっている（図９のＣ−Ｃ断面図参照）。これにより、ロックピン動作端６ｂは、一旦位置ｆを通過するとロック位置Ｌへ戻ることがなくなる。それゆえ、ロックピン動作端６ｂは、位置ｇから、接点バネ３２によるｚ方向上側の付勢力により、ロック位置Ｌへ戻ることがなくなる。その結果、安定したオフ動作を実現することができる。
【００６７】
また、初期領域４６ｊと第４傾斜領域４６ｉとの連結部分には、段差部が形成されており、初期領域４６ｊの底面は、第４傾斜領域４６ｉの底面よりもｘ方向に低くなっている（図９のＤ−Ｄ断面図参照）。これにより、位置ａを通過したロックピン動作端６ｂが再び第４傾斜領域４６ｉに戻ることを防止することができる。
【００６８】
以上のように、スイッチ１においては、ハートカム部４６の外周溝４６ｃに形成された段差部によって、ロックピン動作端６ｂが外周溝４６ｃを逆方向にスライドすることを防止している。これにより、ロックピン動作端６ｂは、第１傾斜領域４６ｄ、第２傾斜領域４６ｅ、第１誘導領域４６ｆ、第２誘導領域４６ｇ、第３傾斜領域４６ｈ、第４傾斜領域４６ｉ、及び初期領域４６ｊの順に一方向にスライドすることになる。
【００６９】
ロックピン動作端６ｂは、段差部との当接により、逆方向（例えば図９に示される点線矢印の方向）への移動が防止されている。このため、スイッチ回路の開閉動作の回数が増加するに従い、段差部の摩耗が促進するおそれがある。その結果、外周溝４６ｃに段差部が形成された構成では、スイッチ回路の開閉動作の繰り返しによって、ロック不良やロック解除不良が発生し、スイッチ回路の開閉機構に支障をきたすおそれがある。
【００７０】
そこで、外周溝４６ｃの構成によれば、第１誘導領域４６ｆ、第２誘導領域４６ｇ、及び第３傾斜領域４６ｈの底面は、ロックピン動作端６ｂの付勢方向に垂直な断面において、最下位端Ｔ１から最下位端Ｔ２へ向かって下方に傾斜している。これにより、スイッチ回路の開閉動作の繰り返しによって段差部が摩耗しても、上記底面の傾斜により、ロック解除不良やロック不良の原因となるロックピン動作端６ｂの逆方向への移動を防止することができる。その結果、ロックピン端部の逆方向への移動を防止し、かつ信頼性が高いスイッチ開閉機構を実現できる。
【００７１】
さらに、外周溝４６ｃの構成によれば、初期領域４６ｊの底面は、ロックピン動作端６ｂの付勢方向に垂直な断面において、誘導復路から誘導往路（より具体的には誘導復路の一部である第４傾斜領域４６ｉから誘導往路の一部である第１傾斜領域４６ｄ）へ向かってｘ方向下方に傾斜している。これにより、ロックピン動作端６ｂの第４傾斜領域４６ｉから第１傾斜領域４６ｄへの復帰がスムーズになる。その結果、信頼性がさらに高いスイッチ開閉機構を実現できる。
【００７２】
なお、図９に示された構成では、第１誘導領域４６ｆ、第２誘導領域４６ｇ、第３傾斜領域４６ｈ、及び初期領域４６ｊの底面が、ロックピン動作端６ｂの付勢方向に垂直な断面において、最下位端Ｔ１から最下位端Ｔ２へ向かって下方に傾斜していた。しかし、最下位端Ｔ１から最下位端Ｔ２へ向かって下方に傾斜する傾斜面は、ロックピン係止突起４２ａを取り囲む外周溝４６ｃにおける少なくとも一部の領域の底面で形成されていればよい。すなわち、外周溝４６ｃに傾斜されていない領域が存在していてもよい。ロックピン動作端６ｂの逆方向への移動を防止できれば、第１誘導領域４６ｆ、第２誘導領域４６ｇ、第３傾斜領域４６ｈ、及び初期領域４６ｊの底面のうち少なくとも一部の底面が、ロックピン動作端６ｂの付勢方向に垂直な断面において、最下位端Ｔ１から最下位端Ｔ２へ向かって下方に傾斜していればよい。例えば、第２誘導領域４６ｇが傾斜していない構成であってもよい。
【００７３】
（４）スイッチ１におけるロック解除機構（リセット機構）
次に、スイッチ１の特徴的構成であるロック解除機構について、説明する。図１０は、スイッチ１のロック解除動作中の、ハートカム部４６におけるロックピン動作端６ｂの動きを示す表である。図１０に示される表では、ロックピン動作端６ｂの動きに合わせて、プランジャ本体３１の操作部３１ａの動き、及びソレノイド部材４４とスライダ部材との状態も示している。
【００７４】
図１０中、外周溝４６ｃの位置ｅから位置ｈへ向かう通路は、第２誘導領域４６ｇの延長部４６ｇ’に対応し、図５（ａ）及び（ｂ）に示されるロック解除通路ＩＶに含まれる通路である。
【００７５】
図１０に示されるように、ロック状態（スイッチ回路閉維持）において、ソレノイド部材４４の状態は、吸着状態となっている。それゆえ、スライダ部材４２のロックピン係止突起４２ａは、上述した鉄芯４４ａとソレノイド本体４４ｂとの間の吸引力によって、ロック位置Ｌに固定されている。一方、ロックピン動作端６ｂは、ｚ方向上側へ付勢した状態で、ロックピン係止突起４２ａによって係止されている。
【００７６】
そして、ソレノイド部材４４にロック解除信号が入力される（ｒｅｓｅｔ）と、ソレノイド部材４４に上記吸引力を打ち消す力が発生する。その結果、ソレノイド部材４４とスライダ部材との状態は、吸着状態から離脱状態になる。離脱状態では、上述した鉄芯４４ａとソレノイド本体４４ｂとの間の吸引力が働かないので、ロックピン係止突起４２ａのロック位置Ｌでの固定が解除される。それゆえ、ロックピン係止突起４２ａを有するスライダ部材４２は、接点バネ３２の弾性力によるロックピン動作端６ｂの付勢力によって、鉄芯４４ａとともにｚ方向上側へ移動する。
【００７７】
ロックピン動作端６ｂは、当該ロックピン動作端６ｂに掛かっている付勢力Ｆにより、ロックピン係止突起４２ａをｚ方向上側へ押圧し移動させるようになっている。そして、ロックピン係止突起４２ａに当接してｚ方向上側へ押し上げつつ、この押し上げにより開通したロック解除通路ＩＶ（図５（ａ）及び（ｂ）参照）を通過する。そして、位置ｈに到達する。
【００７８】
ここで、外周溝４６ｃの構成によれば、第２誘導領域４６ｇの延長部４６ｇ’、及び第３傾斜領域４６ｈの底面は、ロックピン動作端６ｂの付勢方向に垂直な断面において、最下位端Ｔ１から最下位端Ｔ２へ向かって下方に傾斜している。これにより、スイッチ回路のリセット動作の繰り返しによって延長部４６ｇ’と第３傾斜領域４６ｈとの段差部が摩耗しても、上記底面の傾斜により、ロック不良の原因となるロックピン動作端６ｂの逆方向への移動を防止することができる。その結果、ロックピン端部の逆方向への移動を防止し、かつ信頼性が高いスイッチ開閉機構及びリセット機構を実現できる。
【００７９】
また、ロックピン動作端６ｂがロックピン係止突起４２ａに当接してｚ方向上側へ移動させている間、ロックピン係止突起４２ａを含むスライダ部材４２には、復帰バネ４３の弾性によりｚ方向下側へ向かう復帰力Ｇが掛かっている。復帰力Ｇは、付勢力Ｆよりも小さくなっているので、ロックピン係止突起４２ａはｚ方向上側へ移動することになる。
【００８０】
ここで、ロックピン係止突起４２ａには、ロック解除通路ＩＶを形成する側壁と同じ角度で傾斜した傾斜面４２ｂが形成されている。それゆえ、ロック状態を解除する動作がスムーズになるという効果がある。
【００８１】
この付勢力Ｆは、ロックピン動作端６ｂがロックピン係止突起４２ａに当接してスライドしている間、ロックピン係止突起４２ａに対し掛かっている。そして、ロックピン動作端６ｂがロックピン係止突起４２ａから外れた時点で、ロックピン係止突起４２ａに付勢力Ｆが掛からなくなり、ｚ方向下側へ向かう復帰力Ｇのみが掛かる。そして、この復帰力Ｇによって、スライダ部材４２のロックピン係止突起４２ａがｚ方向下側へ押し下げられ、ロック位置Ｌに戻る。そして、これに連動して、ソレノイド部材４４が吸着状態に戻る。
【００８２】
すなわち、ロックピン動作端６ｂは、当該ロックピン動作端６ｂに掛かっている付勢力Ｆにより、ロックピン動作端６ｂがロックピン係止突起４２ａをｚ方向上側へ押し上げている時点で、鉄芯４４ａとソレノイド本体４４ｂとの間の吸引力が発生している。この時点で、ソレノイド部材４４には、瞬間的にロック解除信号が入力されると、この吸引力と復帰力Ｇとの合計よりもロックピン動作端６ｂにかかる付勢力Ｆのほうが強く作用する。このため、ロックピン係止突起４２ａはｚ方向上側へ移動することになる。
【００８３】
なお、復帰バネ４３は、スライダ部材４２がｚ方向上側へ移動したときに、ｚ方向下側への復帰力を発生させるように、弾性力が設定されていればよい。復帰バネ４３は、スライダ部材４２がソレノイド部材４４に固定されているとき、スライダ部材４２をｚ方向下側に予圧しているか、あるいは予圧していない。スライダ部材４２をｚ方向下側に予圧している場合、復帰バネ４３はロックピン動作端６ｂの付勢力Ｆよりも小さい弾性力で予圧している。
【００８４】
このようにスイッチ１は、第１方向（ｚ方向下側）への押込操作によりスイッチ回路の開閉動作を行うためのプランジャ本体３１と、一方のロックピン支点端６ａがプランジャ本体３１に連結されたロックピン６と、ロックピン６におけるプランジャ本体３１と反対側のロックピン動作端６ｂをプランジャ本体３１の移動に合わせて案内する外周溝４６ｃが設けられたハートカム部４６と、第１方向（ｚ方向下側）と反対側の第２方向（ｚ方向上側）へ付勢するロックピン動作端６ｂを係止し、ロック位置Ｌに保持するロックピン係止突起４２ａと、外部信号の入力によりロックピン係止突起４２ａとロックピン動作端６ｂとの係止を解除するロックピン解除機構とを備えた構成である。
【００８５】
そして、ハートカム部４６は、ロック位置Ｌからロックピン動作端６ｂが付勢する側へ延び、かつ係止中にはロックピン係止突起４２ａにより遮られているロック解除通路ＩＶを有し、ロックピン解除機構は、ロックピン係止突起４２ａをｚ方向上側へ移動させて、ロック解除通路ＩＶを開通させることで係止を解除する。
【００８６】
この構成によれば、外部信号が入力されると、ロック解除機構により、ロック状態にあった（ロックピン係止突起４２ａにより係止されていた）ロックピン動作端６ｂは、ｚ方向上側に移動する。そして、これに伴いロックピン係止突起４２ａはｚ方向上側に移動しロック解除通路ＩＶが開通し、ロックピン動作端６ｂは、ロック解除通路ＩＶを摺動（スライド）することになる。さらに、ロック解除通路ＩＶは、ロック位置Ｌからロックピン動作端６ｂが付勢する側へ延びているので、ロックピン動作端６ｂは、その付勢力に逆らうことなくロック解除通路ＩＶを摺動して、ロック状態が解除される。
【００８７】
それゆえ、スイッチ１の構成によれば、ロックピン動作端６ｂの付勢方向と反対方向で、かつこの付勢力よりも大きい駆動力で（ロックピン動作端６ｂの付勢力に逆らって）ロックピン動作端６ｂを移動させる従来のリセット機能付スイッチと比較して、ロックピン６とロックピン係止突起４２ａとの間の摩耗を低減することが可能になる。
【００８８】
よって、ロックピン６とロックピン６を係止するロックピン係止突起４２ａとの間の摩耗を低減することができるリセット機能付スイッチを提供することができる。
【００８９】
また、スイッチ１は、ロックピン係止突起４２ａを有するスライダ部材４２と、鉄芯４４ａ及びソレノイド本体４４ｂを有し、鉄芯４４ａとソレノイド本体４４ｂとの間の吸引力によりスライダ部材４２のロックピン係止突起４２ａをロック位置Ｌに固定するソレノイド部材４４と、スライダ部材４２がｚ方向上側に移動したときに、ロックピン動作端６ｂの付勢力よりも小さい復帰力を発生させる復帰バネ４３とを備えている。そして、ロックピン解除機構は、ロック解除信号をソレノイド部材４４に入力させ、スライダ部材４２とソレノイド部材４４との固定を解除することでロックピン係止突起４２ａをｚ方向上方に可動させる構成である。
【００９０】
従来のリセット機能付スイッチでは、ソレノイドの吸引力により鉄芯を介して駆動カムを、カム突起部を中心にして反時計回り方向に回動させて駆動し、駆動カムの駆動機構にてこの原理を利用している。このため、スイッチが大型化するという第２の問題がある。
【００９１】
また、従来のリセット機能付スイッチでは、ロック解除するに際し、駆動カムは、ソレノイドの鉄芯及びロックピンのみにより支持されている。それゆえ、外部からの衝撃や振動が加わると簡単に駆動カムがロックピンから外れるという第３の問題がある。
【００９２】
スイッチ１の構成によれば、従来のリセット機能付スイッチにおける第２及び第３の問題を招来しない。
【００９３】
スイッチ１では、ロックピン係止突起４２ａを有するスライダ部材４２は、ソレノイド部材４４における鉄芯４４ａとソレノイド本体４４ｂとの間の吸引力により固定されているので、従来のリセット機能付スイッチよりもロックピンを係止する係止部（ここではスライダ部材４４）が安定して固定されている。よって、外部からの衝撃や振動が加わっても摺動部材がロックピンから外れることないリセット機能付スイッチを実現できる。
【００９４】
さらに、ロックピン解除機構は、ロック解除信号をソレノイド部材４４に入力させ、スライダ部材４２とソレノイド部材４４との固定を解除することでロックピン係止突起４２ａをｚ方向上方に可動させる。このため、従来のリセット機能付スイッチのようなてこの原理を必要としない。よって、小型化したリセット機能付スイッチを実現できる。
【００９５】
また、スイッチ１におけるロックピン解除機構は、ロックピン動作端６ｂの付勢力によりロックピン係止突起４２ａをｚ方向上側へ移動させて、ロック解除通路ＩＶを開通させる。
【００９６】
この構成によれば、ロックピン解除機構にロックピン係止突起４２ａをｚ方向上側へ移動させる部材を設ける必要がない。このため、より簡単な構成でロック解除を実現することができる。
【００９７】
また、スイッチ１におけるロックピン解除機構は、ロックピン係止突起４２ａに対しｚ方向下側への復帰力を掛けて、ロックピン係止突起４２ａをロック位置Ｌに戻す構成となっている。
【００９８】
この構成によれば、ロックピン解除機構は、ロックピン係止突起４２ａに対しｚ方向下側への復帰力を掛けて、ロックピン係止突起４２ａをロック位置Ｌに戻すので、ロック状態を解除した後、速やかにロック状態に戻すことができ、動作がスムーズになるという効果がある。
【００９９】
なお、本実施形態では、「係止部」として、ハートカム部４６と別体であるスライダ部材４２を用いた。しかし、本発明のカム溝構造においては、「係止部」は、ハートカム部４６と別体である必要がない。本発明のカム溝構造はリセット機能を持たないスイッチにも適用可能であり、その場合はロックピン係止突起４２ａの部分とハートカム部４６とを一体構造にしてもよい。
【０１００】
本発明は上述した実施形態に限定されるものではなく、請求項に示した範囲で種々の変更が可能であり、上記実施形態に開示された技術的手段それぞれを適宜組み合わせて得られる実施形態についても本発明の技術的範囲に含まれる。
【産業上の利用可能性】
【０１０１】
本発明は、洗濯機や食器洗浄器等といった、外部信号によって電源スイッチをオフにすることが可能な電化製品に利用することができる。
【符号の説明】
【０１０２】
１    スイッチ
２    ハウジング
３    プランジャ部
３１    プランジャ本体（押込部材）
３２    接点バネ
３３    接点バネ
４    ソレノイド部
４１    ソレノイドケース
４２    スライダ部材（摺動部材；係止部）
４２ａ  ロックピン係止突起（係止部）
４３    復帰バネ
４４    ソレノイド部材
４４ａ  鉄芯
４４ｂ  ソレノイド本体
４５    ソレノイドカバー
４６    ハートカム部（カム部）
４６ｂ  挿入口
４６ｃ  外周溝（カム溝）
４６ｄ  第１傾斜領域
４６ｅ  第２傾斜領域
４６ｆ  第１誘導領域（第１の通路）
４６ｇ  第２誘導領域（第２の通路）
４６ｇ’  延長部
４６ｈ  第３傾斜領域（第３の通路）
４６ｉ  第４傾斜領域（第３の通路）
４６ｊ  初期領域
６    ロックピン
６ａ    ロックピン支点端
６ｂ    ロックピン動作端（動作端）
ＩＶ    ロック解除通路（ロック解除用カム溝）
Ｔ１    最下位端（第１の終端）
Ｔ２    最下位端（第２の終端）
【図１】
2013118059.tif 000003
【図２】
2013118059.tif 000004
【図３】
2013118059.tif 000005
【図４】
2013118059.tif 000006
【図５】
2013118059.tif 000007
【図６】
2013118059.tif 000008
【図７】
2013118059.tif 000009
【図８】
2013118059.tif 000010
【図９】
2013118059.tif 000011
【図１０】
2013118059.tif 000012